(57)【要約】【課題】携帯情報端末装置では、有指向性無線通信手段を設ける場合、使い勝手を考慮して通常上端面に設ける。これは携帯情報端末装置を小型化する上で設計制約となっている。【解決手段】指向性を有する近距離無線通信機能を持つ携帯情報端末装置において、該近距離無線通信機能の利用する時に、当該携帯端末の近距離無線通信手段の位置および通信相手に正対させるための方向を当該携帯端末の表示画面に表示する手段を設け、また通信相手に正対させるための方向が通常の使用時の一般的な保持方向と異なる場合には、該近距離無線通信機能の操作をユーザが選択する画面の表示方向を、通信相手に正対させるための方向に向けたときに正立となるように表示する手段を設ける。【選択図】  図４
2004266708.tif 000002
【特許請求の範囲】
【請求項１】
手にもって操作され、通信の相手側とデータを通信する機能を有する有指向性無線通信手段と前記データを含む情報を表示する表示装置とを備えた携帯情報端末装置において、
前記有指向性無線通信手段は、前記携帯情報端末装置の周辺部の所望の位置に設けられ、
前記有指向性無線通信手段を起動する際に、前記表示装置の表示部上に、前記有指向性無線通信手段を前記相手側に正対する方向へ操作するよう指示する方向指示図形を表示することを特徴とする携帯情報端末装置。
【請求項２】
前記有指向性無線通信手段が前記相手側と正対するための方向が異なる場合、前記有指向性無線通信手段を前記相手側に正対させるための方向に向け直したときに、前記表示装置の表示部上に表示される前記方向指示図形が正立となるように調整を行なうことを特徴とする請求項１に記載の携帯情報端末装置。
【請求項３】
手にもって操作され、通信の相手側とデータを通信する機能を有する有指向性無線通信手段と前記データを含む情報を表示する表示装置とを備えた携帯情報端末装置において、
前記有指向性無線通信手段は、前記携帯情報端末装置の周辺部の所望の位置に設けられ、
前記有指向性無線通信手段を起動する際に、前記有指向性無線通信手段が前記相手側と正対するための方向が異なる場合、
前記有指向性無線通信手段を前記相手側に正対する方向へ操作するよう案内する方向案内音声を出力するか又は、警告音を発生するとともに、前記表示装置の表示部上に、前記有指向性無線通信手段を前記相手側に正対する方向へ操作するよう指示する方向指示図形を表示することを特徴とする携帯情報端末装置。
【発明の詳細な説明】
【０００１】
【発明の属する技術分野】
本発明は、赤外線通信などのように指向性を有する無線通信手段をもつ携帯電話やＰＤＡなどの携帯情報端末装置に係り、当該無線通信手段の通信効率を確保するために望ましい方向に端末を保持するよう、使用者に適正な方向を図示する携帯情報端末装置の構成に関する。
【０００２】
【従来の技術】
従来の携帯情報端末装置では、赤外線通信などのように指向性を有する無線通信手段を設ける際に、当該通信手段の端末上の位置を、使用者が通常使用時に通信相手に正対させやすい位置、例えば、携帯情報端末装置を片手で保持した場合に前方となる位置に設置することが一般的であった（例えば、非特許文献１を参照）。
【０００３】
【非特許文献１】
「レファレンスガイド：ｉＰＡＱ  Ｈ３６００シリーズＰｏｃｋｅｔ  ＰＣ」、コンパックコンピュータ株式会社、２００１年２月（初版）、ｐ．７−２〜７−３
【０００４】
【発明が解決しようとする課題】
前記のように、有指向性無線通信手段を端末上の特定範囲に設置することは、携帯情報端末装置を小型化する上での設計制約となっている。本発明は、使用者の利便性低下を抑えつつ、このような設計制約を排除することを課題とする。
【０００５】
【課題を解決するための手段】
指向性を有する近距離無線通信機能を有する携帯電話やＰＤＡなどの携帯情報端末装置において、該近距離無線通信機能を利用する時に、当該携帯端末の近距離無線通信手段の位置および通信相手に正対させるための方向を当該携帯端末の表示画面に表示する手段を設ける。
【０００６】
また、該近距離無線通信機能の利用する時に、当該携帯端末の近距離無線通信手段の位置および通信相手に正対させるための方向が通常の使用時の一般的な保持方向と異なる場合に、該近距離無線通信機能の操作をユーザが選択する画面の表示方向を、通信相手に正対させるための方向に向けたときに正立となるように表示する手段を設ける。
【０００７】
【発明の実施の形態】
＜実施例＞
本発明の実施例を図１〜図５により詳細に説明する。
図１は本発明を実現する携帯情報端末装置の構成を表す図である。図２は、本発明を実現する携帯情報端末装置の外観を示した図である。図３および図４は、有指向性通信機能使用時の画面を表す図である。図５は、有指向性通信機能使用時の処理を表すフローチャートである。
図１の携帯情報端末装置の構成をさらに詳細に説明する。図１において、１１はＣＰＵ、１２はメモリ、１３は表示装置、１４はタッチパネル、１５は本実施例における有指向性無線通信手段としての赤外線通信手段である。赤外線リモコンのようにタッチパネルを持たないものであってもよい。
【０００８】
図２（ａ）及び（ｂ）は、本発明を実現する携帯情報端末装置の外観を示した図であり、その構成は以下の通りである。図２において、２１は携帯情報端末装置本体、２２は、操作ボタンを表す。１３は表示装置、１５は赤外線通信手段を示している。操作ボタン２２は、本体２１の上部左側面にあり、使用者が左手で持ったときに親指で操作しやすい位置にある。図２（ａ）においては、赤外線通信手段１５ａの送受光部は、上端面に向いているものとする。図２（ｂ）においては赤外線通信手段１５ｂの送受光部は、下端面に向いているものとする。
または、赤外線通信手段１５の送受光部は、携帯情報端末装置２１の左端面もしくは右端面に向いていても良い（図示せず）。
【０００９】
図３は、図２（ａ）の有指向性通信機能使用時の画面を表す図である。使用者が赤外線通信手段による情報伝達機能を起動したときに、表示装置１３ａ上に、３１のように、赤外線通信手段１５ａの位置および通信相手に正対させるための方向を表す図柄を表示する。３２のように、通信相手に正対させることを使用者に促すメッセージを表示してもよい。
【００１０】
図４は、図２（ｂ）の有指向性通信機能使用時の画面を表す図である。使用者が赤外線通信手段による情報伝達機能を起動したときに、表示装置１３ｂ上に、４１のように、赤外線通信手段１５ｂの位置および通信相手に正対させるための方向を表す図柄を表示する。４２のように、通信相手に正対させることを使用者に促すメッセージを表示してもよい。また、４３のように、通信相手に正対に近い位置に持ち替えたときに、正立するようにメッセージを表示してもよい。
なお、赤外線通信手段１５の位置および通信相手に正対させるための方向を指示する方法としては、図柄を表示する代りに音声による案内を用いることもできる。または、図柄の表示と同時に、通信相手に正対していないことを知らせる警告音もしくは、方向指示の案内音声の発信とを併用することも可能である。
【００１１】
図５は、有指向性通信機能使用時の処理を表すフローチャートである。図５により、本発明の実現する携帯方法端末の有指向性通信機能使用時の処理手順を説明する。通常の使用時には、図２（ｂ）のように、赤外線通信手段１５ｂの送受光部が下端面に向いている場合でも、送受光部の方向とは無関係に、通常のモードで表示する（ステップ５１）。ステップ５２において、データの送信などの赤外通信処理が要求されると、次ステップ５３にすすむ。ステップ５３の「対向時正立モード表示開始」では、図２（ｂ）のように、赤外線通信手段１５ｂの送受光部が下端面に向いている場合には、送受光部を上端面に向けたときに使用者に正立するように画面表示を変更しステップ５４に進む。以下、ステップ５６において、この対向時正立モードが解除されるまでは、その表示方向を維持する。この間、図４の４１のように、送受光部を向けるべき方向を表示しておいてよい。ステップ５４では、使用者の処理要求に応じて、赤外通信処理を実行し、通信相手とデータを送受する。このとき、リモコンのような装置においては、送信だけを行ってもよいし、この場合には、受光部はなくとも良い。使用者の要求が、赤外通信処理の終了である場合には、ステップ５５からステップ５６に進む。ステップ５６では、対向時正立モードを解除し、ステップ５７で通常の表示モードにもどる。図４の４１のように、送受光部を向けるべき方向を表示していた場合にはその表示はこの時点で中止する。
【００１２】
なお、赤外線通信手段１５の送受光部が携帯情報端末装置の左端側または右端側に設置されている場合は、送受光部を左端面または右端面に向けたときに使用者に正立するように図柄を変更し、メニューやテキストなど表示はそのままの位置に保持しておく。
【００１３】
本実施例によれば、赤外線通信手段の送受光部が上端以外の位置にあり、通常使用時の保持方向では、通信相手と対向しにくい場合でも、使用者に持ち替えさせて対向させるよう誘導することができるという効果がある。
【００１４】
【発明の効果】
本発明によれば、有指向性通信機能を有する携帯情報端末装置において、当該有指向性通信機能を具体的に行う素子が、携帯端末の通常の保持位置において上端面以外の場所にある場合でも、使用者の使い勝手の低下を回避することができるという効果がある。
【図面の簡単な説明】
【図１】実施例を実現する携帯情報端末装置の構成を表す図。
【図２】（ａ）及び（ｂ）は、実施例を実現する携帯情報端末装置の外観を示した図。
【図３】有指向性通信機能使用時の画面例を表す図。
【図４】有指向性通信機能使用時の画面例を表す図。
【図５】有指向性通信機能使用時の処理を表すフローチャート。
【符号の説明】
１３ａ、１３ｂ…表示装置、２１ａ、２１ｂ…携帯情報端末装置、２２ａ、２２ｂ…操作スイッチ、１５ａ、１５ｂ…赤外線通信手段、４１…赤外線通信手段の送受光部の位置と通信相手に対向させるべき方向を示す表示、４３…４１を前方に向けて保持したときに正立するメッセージ表示。
【図１】
2004266708.tif 000003
【図２】
2004266708.tif 000004
【図３】
2004266708.tif 000005
【図４】
2004266708.tif 000006
【図５】
2004266708.tif 000007